(57)【要約】      （修正有）【課題】ダイオキシン発生源を使用せず、簡便な装置によりウイルス等の菌類や悪臭の発散が抑制されるゴミ回収車の除菌剤噴射装置を提供する。【解決手段】ゴミ回収車の除菌剤噴射装置は、車体枠２上に荷箱３が搭載され、荷箱の後部にはゴミ投入口４が形成され、ゴミ投入口内に、投入されたゴミの掻き込み装置または押し込み装置の少なくとも一方が設けられ、ゴミ投入口底部に汚水受け用のタンクが設けられているゴミ回収車内の上部に、除菌液タンク１１から供給される除菌剤をゴミ投入口内の底部に向けて噴射する上部パイプ１３と噴霧ノズル１４を有する除菌剤噴射装置が設けられている。【選択図】図３
0003231350.tif 000002
【実用新案登録請求の範囲】
【請求項１】
車体枠上に荷箱が搭載され、前記荷箱の後部にはゴミ投入口が形成され、前記ゴミ投入口内に、投入されたゴミの掻き込み装置または押し込み装置の少なくとも一方が設けられ、ゴミ投入口底部に汚水受け用のタンクが設けられているゴミ回収車内の上部に、除菌剤を前記ごみ投入口内の底部に向けて噴射する噴霧ノズルを備えた除菌剤噴射装置が設けられていることを特徴とするゴミ回収車の除菌剤噴射装置。
【請求項２】
前記除菌剤噴射装置は、除菌剤を除菌液タンクから電動式液送ポンプにより加圧され、液送ホースを介して前記ポンプと連通する噴射ノズルを有し、さらに前記除菌剤噴射装置は、押し込み装置の駆動に対応して除菌剤の噴射開始を連動させるようにしたことを特徴とする請求項１に記載のゴミ回収車の除菌剤噴射装置。
【請求項３】
前記除菌剤噴射装置は、不燃物を積込み回収する際に噴霧ノズルから水を噴霧して、投入口の後ろに立つ積込作業者への粉塵災害の防止を図るとともに、投入口に水分を加えることで発火の危険性も抑えることができ、万が一発火して引火した場合でも噴霧ノズルとは別途設置した初期消火用ホースで噴出して初期消火し、車両を火災から守ることができるようにしてあることを特徴とする請求項１に記載のゴミ回収車の除菌剤噴射装置。
【考案の詳細な説明】
【技術分野】
【０００１】
本考案は、回収したゴミによるインフルエンザウイルスやその他のウイルス、あるいは食中毒を引き起こす雑菌類の発散を抑制するゴミ回収車の除菌剤噴射装置に関する。
【背景技術】
【０００２】
わが国では、生ゴミを含めた一般廃棄物のゴミと、燃えないゴミの不燃物を２分科し、さらに再資源ゴミをリサイクルと称して回収している。
家庭や事業所などから出されるゴミの処分のほとんどを専用の処理場での焼却・埋め立てに頼っているわが国では、ゴミ回収車（パッカー車）が必要不可欠である。一般的なゴミ回収車は、車体枠上に荷箱が搭載され、該荷箱の後部にはゴミ投入口が形成され、前記荷箱の投入口に臨んで、ゴミを掻き込むための掻き込み装置と、そのゴミを荷箱に押し込むための押し込み装置とが設けられている。投入口から投入されたゴミからは、掻き込み装置や押し込み装置によってゴミ袋が破れたり、結び口が緩んだりして、細かいゴミを含む汚水が流出する。通常のゴミ回収車には荷箱の底部に汚水受け用のタンクが設けられており、汚水は投入口底部すなわちタンク上面に設けた排水孔からタンクに流れ込むので、外には流出しないようになっている。
【先行技術文献】
【特許文献】
【０００３】
【特許文献１】特開２００２−１２８２０３号公報
【考案の概要】
【考案が解決しようとする課題】
【０００４】
しかし、荷箱の内面やゴミ袋に付着した汚水は、特にゴミ投入時にゴミ回収車の通行経路の周辺にゴミの悪臭を発散する問題がある。また前記タンクの排水孔からも汚水の悪臭が発散される。特に気温の高い場合には、ゴミを大量に圧縮収納したゴミ回収車からは、かなりの悪臭が処理場周辺やゴミ回収車の通行経路の周辺に撒き散らされることとなる。これは、周辺の住民に不快なだけでなく、ゴミ回収作業者の健康衛生上も好ましくない。
【０００５】
不燃物ゴミの回収には毛布・布団を含め、古タンスや自転車等を破砕しながらの積込回収には粉塵の飛沫があることと、火花も発生することもあり、車両投入口で作業する回収作業者の呼吸器系の保護を目的とするため、また火災に対する安全性を保持するために、本考案のような噴霧システムの湿気により飛沫を押さえることが望まれている。
ちなみに、ゴミ処理場の除菌については、燃焼法やオゾン酸化法など強力な反応を利用する方法が採用されているが、ゴミ回収車にそのような大型の装置を取り付けるのは困難であった。また、ゴミの悪臭の大部分は、腐敗すなわち微生物の増殖を抑えることにより、かなり発生を抑えられることが判っている。そこで、安価で殺菌力の強い次亜塩素酸や安定化二酸化塩素なども今まで使用されてきたが、昨今の環境問題、特にゴミ焼却時のダイオキシン発生の問題から、これらはダイオキシンを構成する塩素源となるので、使用を控えることが要求される。
本考案は、前記問題点に鑑み、簡便な装置により、かつダイオキシン発生源を使用せずに悪臭の発散が抑制されるゴミ回収車を提供するものであり、除菌および防粉塵対策のみならず、発火を防ぐ目的をももった効率的な考案である。
【課題を解決するための手段】
【０００６】
すなわち本考案のゴミ回収車の除菌剤噴射装置は、車体枠上に荷箱が搭載され、前記荷箱の後部にはゴミ投入口が形成され、前記ゴミ投入口内に、投入されたゴミの掻き込み装置または押し込み装置の少なくとも一方が設けられ、ゴミ投入口底部に汚水受け用のタンクが設けられているゴミ回収車内の上部に、除菌剤をゴミ投入口内の投入されたゴミの掻き込み装置または押し込み装置の少なくとも一方に向けて噴射する噴霧ノズルを備えた除菌剤噴射装置が設けられていることを特徴とするものである。
【０００７】
また、前記除菌剤噴射装置は、除菌剤を除菌液タンクと連通している電動式液送ポンプで加圧し、液送ホースを介して前記ポンプと連通する噴射ノズルを有し、さらに前記除菌剤噴射装置は、掻き込み装置または押し込み装置の駆動に対応して除菌剤の噴射開始を連動させるようにしたことをも特徴とするものである。
【０００８】
前記除菌剤噴射装置は、不燃物を積込み回収する際に噴霧ノズルから水を噴霧して、投入口の後ろに立つ積込作業者への粉塵災害の防止を図るとともに、投入口に水分を加えることで発火の危険性も抑えることができ、万が一発火して引火した場合でも噴霧ノズルとは別途設置した初期消火用ホースで噴出して初期消火し、車両を火災から守ることができるようにしてあることをも特徴とするものである。
【考案の効果】
【０００９】
本考案によれば、ゴミ回収車の悪臭は、簡便な装置とダイオキシンを発生しない除菌剤により消臭され、悪臭が車外へ発散して回収作業者や周辺住民の健康を損なうことが低減される。
【図面の簡単な説明】
【００１０】
【図１】本考案のゴミ回収車の一例における投入口側面の除菌剤及び水タンクを示す概略側面図である。
【図２】本考案のゴミ回収車の除菌剤噴射装置の一例におけるゴミ回収車の投入口内部の概略断面図である。
【図３】本考案のゴミ回収車の除菌剤噴射装置の一例におけるゴミ回収車の投入口内部の概略背面図である。
【図４】本考案のゴミ回収車の除菌剤噴射装置の一例におけるゴミ回収車の噴霧ノズルの概略背面図である。
【図５】ａ）は噴霧ノズルの概略拡大図、ｂ）は液送ホースに装着して噴霧ノズルと連結する継手の概略拡大図、ｃ）は噴霧ノズルを取り付けた金属管の概略拡大図である。
【図６】本考案のゴミ回収車の除菌剤噴射装置の一例におけるゴミ回収車の積込みボタンを示すものであり、（ａ）積込みボタンの概略斜視図、（ｂ）は電動式液相ポンプの制御スイッチの第１ポジションを示す概略図、（ｃ）は電動式液相ポンプの制御スイッチの第２ポジションを示す概略図、（ｄ）は電動式液相ポンプの制御スイッチの第３ポジションを示す概略図である。
【図７】本考案のゴミ回収車の除菌剤噴射装置の一例におけるゴミ回収車のゴミの積込みサイクルの概略断面図であり、（ａ）はゴミ投入口の底部にゴミが積載された状態を示し、（ｂ）は回転プレートが上向きに回転するとともにプッシュプレートが後退し始める状態を示し、（ｃ）はゴミ投入口の底部のゴミを回転プレートが後方に押し出し、プッシュプレートが後退位置にセットされた状態を示し、（ｄ）は回転プレートがゴミを水平位置に押し上げて、プッシュプレートがゴミを後方に押し出す状態を示すものである。
【図８】本考案のゴミ回収車の除菌剤噴射装置の別の例におけるゴミ回収車のゴミの積込みサイクルの概略断面図であり、（ａ）はゴミ投入口の底部にゴミが積載され、プレスプレートが反転し始める状態を示し、（ｂ）はプレスプレートが下降しようとする状態を示し、（ｃ）は下降したプレスプレートが前方に回転し、ゴミをかき込み、ゴミ投入口の底部との間で圧縮している状態を示し、（ｄ）はプレスプレートがゴミをすり潰しながら上昇し、ボデー内のゴミとの間で再圧縮しながらゴミを積み込んでゆく状態を示すものである。
【図９】本考案のゴミ回収車の除菌剤噴射装置を搭載したゴミ収集車の後部のゴミ投入口を示す概略背面図である。
【図１０】本考案のゴミ回収車の除菌剤噴射装置のさらに別の例を示すものであり、液送ホースの先端には噴霧ノズルが設置され、液送ホ−スの途中には三方切替弁が取付けてあってその先端には初期消火用ホース、噴霧ノズルを取り付けた概略図である。
【図１１】本考案のゴミ回収車の除菌剤噴射装置のさらに別の例を示すものであり、除菌液タンクの下部には吸込口に隣接して電動式液送ポンプが配設され、電動式液送ポンプには液送ホースが連結されており、途中に設置した三方切替弁で、ノズル散布と初期消火用ホースとを切替可能とした概略図である。
【考案を実施するための形態】
【００１１】
以下、本考案のゴミ回収車の除菌剤噴射装置の実施の形態を、図面を参照して説明する。
図１は、本考案のゴミ回収車の除菌剤噴射装置における投入口側面の除菌剤タンクを示す概略側面図である。
図において、ゴミ回収車１は車体枠２上に荷箱３が搭載されている。荷箱３の後部にはゴミ投入口４が形成されるとともに、該ゴミ投入口４側面には除菌液タンク１１が搭載されている。５は該除菌液タンク１１を車体枠２側面に保持する取付バーである。
【００１２】
図２は、本考案のゴミ回収車の除菌剤噴射装置の一例におけるゴミ回収車の投入口内部の概略断面図である。
図において２１はゴミ回収車１の車体枠２に搭載された前記荷箱３内に回転自在に取り付けられた回転プレートであり、前記ゴミ投入口４の底部４ａに保持されたゴミを前記ゴミ投入口４の底部４ａから前記回転プレート２１が水平となる位置までかき上げることができるようになっている。
また図において２２はプッシュプレートであり、前記回転プレート２１上のゴミを前記荷箱３内部へ送り出すことができるようになっている。前記プッシュプレート２２は前記車体枠２に搭載された前記荷箱３内の上部に保持された回転軸２２ａに回転可能に保持されており、前記車体枠２に搭載された前記荷箱３内の上端に取り付けたプッシュプレート用油圧シリンダ２３で上部を押し引きすることにより首振り可能となっている。それによって回転プレート２１上のゴミを荷箱３内部へ送り出すことができるようになっている。
【００１３】
図３は本考案のゴミ回収車の除菌剤噴射装置の一例におけるゴミ回収車の投入口内部の概略背面図である。
図において２１はゴミ回収車１の車体枠２に搭載された前記荷箱３内に回転自在に取り付けられた回転プレートであり、前記ゴミ投入口の４の底部４ａに保持されたゴミを前記ゴミ投入口４の底部４ａから水前記回転プレート２１が水平となる位置までかき上げることができるようになっている。
また図において２２はプッシュプレートであり、前記回転プレート２１上のゴミを前記荷箱３内部へ送り出すことができるようになっている。前記プッシュプレート２２は前記車体枠２に搭載された前記荷箱３内の上部に保持された回転軸２２ａに回転可能に保持されており、前記車体枠２に搭載された前記荷箱３内の上端に取り付けたプッシュプレート用油圧シリンダ（図示せず）で上部を押し引きすることにより首振り可能となっている。それによって回転プレート２１上のゴミを荷箱３内部へ送り出すことができるようになっている。
【００１４】
また図において、前記荷箱３の後部にはゴミ投入口４が形成されるとともに、前記ゴミ投入口４側面には除菌液タンク１１が搭載されている。
なお、図において１２は前記除菌液タンク１１から噴霧ノズル１４を取り付けた投入口上部パイプ１３へ連結する液送ホース、１５は前記除菌液タンク１１のタンクキャップ、１６は前記除菌液タンク１１から噴霧ノズル１４を取り付けた投入口上部パイプ１３へ除菌液を給送する電動式液送ポンプである。
【００１５】
図４は本考案のゴミ回収車の除菌剤噴射装置の一例におけるゴミ回収車の噴霧ノズル１４の概略背面図である。図では噴霧ノズル１４は前記投入口上部パイプ１３へ連結されており、ほぼ等間隔で４個の噴霧ノズル１４が前記投入口上部パイプ１３へ連結されている。
また、図５（ａ）は噴霧ノズル１４の概略拡大図であり、該噴霧ノズル１４は投入口上部パイプ１３に取り付けられている。（ｂ）は液送ホース１２に装着して噴霧ノズル１４と連結する継手１７の概略拡大図である。（ｃ）は噴霧ノズル１４および継手１７を取り付けた投入口上部パイプ１３を示すものである。
なお、噴射ノズルはミスト噴霧時及び防粉塵目的のために脱着交換可能としている。
【００１６】
前述のように、ゴミ回収車の除菌剤噴射装置は、除菌剤を収納する除菌液タンク１１と、該除菌液タンク１１から噴霧ノズル１４を取り付けた投入口上部パイプ１３へ除菌液を給送する液送ポンプ１６を備えている。
前記荷箱３、前記ゴミ投入口４及び前記回転プレート２１および＼またはプッシュプレート２２からなる積込み装置Ａの制御装置を以後ＰＬＣと称する。ＰＬＣより前記積込み装置Ａを作動展開する電源を電動式液送ポンプ１６にも供給して前記回転プレート２１および＼またはプッシュプレート２２の動きと同調することができる。
【００１７】
具体的には、ゴミの回収作業時に作業者が、前記回転プレート２１および＼またはプッシュプレート２２の作動開始スイッチを押し、前記回転プレート２１および＼またはプッシュプレート２２の作動が始まると同時に、電動式液送ポンプ１６も同時に作動を開始する。前記電動式液送ポンプ１６の作動動作は、トグルスイッチの切替えによりポンプの作動と終了を操作してもよい。この場合はポンプ作動開始を前記回転プレート２１および＼またはプッシュプレート２２の作動開始スイッチと関係なく手動で行えばよい。
【００１８】
除菌剤や水の噴射量については、除菌用と防粉塵用及び消火の目的によっても異なるが、適時に噴射ノズルを交換して調整することができる。
使用される地域や季節によって、または回収するゴミの種類によって、適宜除菌剤と水を変え、噴射する量も変えて、効率よく除菌剤または水を噴霧できる。なお、ゴミの回収作業終了時に作業者が手動でポンプを停止させても良い。
【００１９】
前記噴霧ノズル１４は、前記ゴミ投入口４の底部４ａに向けて噴霧されるようにすることが望ましい。前記投入口上部パイプ１３に取り付けれた前記噴霧ノズル１４から除菌剤または水が噴霧されると、前記ゴミ投入口４の開口部分はそのほぼ全域が噴霧された除菌剤または水によってベール状に覆われる。このように、前記ゴミ投入口４の底部４ａに向けて除菌剤を噴霧すると、除菌剤の効果により前記ゴミ投入口４に投下されたゴミまたは前記ゴミ投入口４の底部４ａから悪臭が発生するのを防ぐとともに、除菌剤が前記ゴミ投入口４のほぼ全域をベール状に覆うことで車外への悪臭の拡散を防ぐことができる。
また、前記ゴミ投入口４の底部４ａに向けて水を噴霧すると、前記ゴミ投入口４に投下されたゴミまたは前記ゴミ投入口４の底部４ａからの粉塵の発生を防ぐとともに、水が前記ゴミ投入口４のほぼ全域をベール状に覆うことで車外への粉塵の拡散を防ぐことができる。
【００２０】
本考案のゴミ回収車は、前記のような除菌剤噴射装置を、既存のゴミ回収車に取り付けたものでも、車輌組立工程で予め設置されたゴミ回収車でもよい。取り付け治具、設置治具の種類は特に限定されない。既存のゴミ回収車に取り付ける場合は、ビス、固定バンド、突っ張り棒などを用いて、固定用後付バーに取り付けてゴミ回収車本体の作業の邪魔にならない位置に固定するのがよい。
【００２１】
以上、掻き込み装置と押し込み装置の双方を備えたゴミ回収車について述べたが、いずれか一方を備えたゴミ回収車についても同様に除菌剤噴射装置を適用することができる。また、本考案のゴミ回収車において、ゴミ回収作業終了時の洗車後に除菌剤をゴミ投入口内の底部に噴射すれば、従来の洗車で落としきれなかった悪臭を消臭でき、例えば夏場に数日間置いた後でも快適に使用開始できる。
【００２２】
次に、本考案のゴミ回収車の除菌剤噴射装置の一例におけるゴミ回収車の積込みボタンの概略を図６に示す。
ゴミ回収車の積込みボタンとしては、図６（ａ）に示す後部操作ボックス２４を適用することができる。前記後部操作ボックス２４には、プレート起動スイッチ２５とプレート停止スイッチ２６を備えてあり、前記回転プレート２１および＼またはプッシュプレート２２の作動開始または作動停止を制御することができるようにしてある。また、前記後部操作ボックス２４は、前記電動式液送ポンプ１６のポンプ制御スイッチ２５ａをも搭載している。
【００２３】
前記制御スイッチ２５ａは、図６（ｂ）ないし（ｄ）に示すとおりトグルスイッチ式を好適に採用することができる。そして、前記ポンプ制御スイッチ２５ａを（ｂ）に示すように第１ポジション２５ａ−１にすると、除菌液の噴霧を前記回転プレート２１および＼またはプッシュプレート２２の動作と連動して行うことができるようにしてある。
また、前記ポンプ制御スイッチ２５ａを（ｃ）に示すように第２ポジション２５ａ−２にすると、前記電動式液送ポンプ１６の動作を停止させて、除菌液が噴霧されないようにすることができる。そして、前記ポンプ制御スイッチ２５ａを（ｄ）に示すように第３ポジション２５ａ−３にすると、前記回転プレート２１および＼またはプッシュプレート２２の動作との連動を解除して、前記電動式液送ポンプ１６を起動して除菌液を噴霧することができる。
なお、前記ポンプ制御スイッチ２５ａを前記第３ポジション２５ａ−３にすると、前記回転プレート２１および＼またはプッシュプレート２２の動作停止中であっても前記電動式液送ポンプ１６は作動して常時噴霧しており、三方切替弁を切り替えることで後述の図１０に示すように消火用ホース５１から噴出することもできるようになっている。
【００２４】
次に、本考案のゴミ回収車の除菌剤噴射装置の一例におけるゴミ回収車のゴミの積込みサイクルを図７に示す。
図において、（ａ）は前記ゴミ投入口４の底部４ａにゴミが投下され積載された状態を示し、（ｂ）は回転プレート２１が上向きに回転するとともにプッシュプレート２２が後退し始める状態を示し、（ｃ）は前記ゴミ投入口４の底部４ａに投下されたゴミを回転プレート２１が後方に押し出し、プッシュプレート２２が後退位置にセットされた状態を示し、（ｄ）は回転プレート２１がゴミを前記回転プレート２１が水平となる位置に押し上げて、プッシュプレート２２がゴミを後方に押し出す状態を示すものである。
【００２５】
まず、前記プレート起動スイッチ２５を押すと、（ａ）に示すように回転プレート２１が回転動作を開始する。そして、（ｂ）に示すようにプッシュプレート２２が前記回転プレート２１と連動して後退し始める。次いで（ｃ）に示すように回転プレート２１が前記ゴミ投入口４の底部４ａに積載されたゴミをかき上げるように回転し、プッシュプレート２２は所定の位置で停止する。そして、（ｄ）に示すように回転プレート２１がゴミを前記回転プレート２１が水平となる位置までかき上げて、プッシュプレート２２がゴミを前記荷箱３内部へ押し込んで１サイクルが完了する。これによってゴミ回収車１の車体枠２の荷箱３内にゴミが収容される。
前述のように前記プレート起動スイッチ２５を押すと、自動アクセル装置によりエンジン回転数が上がり、１サイクル１０秒以上１１秒〜１５秒で作動する。
【００２６】
なお、前記後部操作ボックス２４には前記電動式液送ポンプ１６を制御するトグルスイッチ式の制御スイッチ２５ａが搭載されおり、前記電動式液送ポンプ１６は前記回転プレート２１および＼またはプッシュプレート２２の動作と連動するようにすることで、前記噴霧ノズル１４から効率よく除菌剤または水を噴霧することができるようにしてある。
すなわち、前記（ａ）ないし（ｄ）の各段階において噴霧ノズル１４から前記ゴミ投入口４の底部４ａに向かって除菌剤または水が噴霧されるようにすることができるほか、前記各段階のうち、特に悪臭の発生する段階、粉塵の発生する段階のみ適宜除菌剤または水が噴霧されるようにすることで、除菌剤または水をより効率よく噴霧することもできる。
【００２７】
本考案のゴミ回収車の除菌剤噴射装置の別の例におけるゴミ回収車のゴミの積込みサイクルを図８に示す。
図８において、（ａ）はゴミ投入口４の底部４ａにゴミが積載され、上昇位置にあるプレスプレート３１が反転し始める状態を示し、（ｂ）はプレスプレート３１がスライド体３２とともに下降しようとする状態を示し、（ｃ）は下降したプレスプレート３１が前方に回転し、ゴミをかき込み、ゴミ投入口４の底部４ａとの間で圧縮している状態を示し、（ｄ）はプレスプレート３１がゴミをすり潰しながら上昇し、荷箱３内のゴミとの間で再圧縮しながらゴミを積み込んでゆく状態を示すものである。
もちろん、前記（ａ）ないし（ｄ）の各段階において噴霧ノズル１４から前記ゴミ投入口４の底部４ａに向かって除菌剤または水が噴霧されるようにすることができるほか、前記各段階のうち、特に悪臭の発生する段階、粉塵の発生する段階のみ適宜除菌剤または水が噴霧されるようにすることで、除菌剤または水をより効率よく噴霧することもできる。本車両は主に燃えないゴミの回収に使用される。
【００２８】
本考案のゴミ回収車の除菌剤噴射装置を搭載したゴミ収集車の後部のゴミ投入口を示す概略背面図を図９に示す。
図９において、ゴミ投入口４の上部には投入口上部パイプ１３が配設されており、該投入口上部パイプ１３に取り付けられた噴霧ノズル１４からゴミに向かって除菌剤が噴霧されている状態である。このように、前記ゴミ投入口４の上部から前記ゴミ投入口４の底部４ａに向けて、除菌剤が噴霧されるようにすることにより、前記ゴミ投入口４の開口部分の略全域を除菌剤がベール状に覆うことができるので、悪臭や粉塵の車外への流出を防ぐことができるのである。
【００２９】
図１０は本考案のゴミ回収車の除菌剤噴射装置のさらに別の例を示すものであり、前記電動式液送ポンプ１６に前記液送ホース１２を介して三方切換弁５２の一端が取り付けられるとともに、前記三方切換弁５２の他端には、それぞれ前記噴霧ノズル１４および初期消火用ホース５１が取り付けられている。
このようにすることで、前記電動式液送ポンプ１６を三方切替弁５２を介して噴霧ノズル１４側と接続して除菌剤または水を噴霧することができるとともに、不燃物回収時等には前記電動式液送ポンプ１６を前記三方切換弁５２を介して前記初期消火用ホース５１と接続して消火剤等を噴霧して消火することができるようにしている。
【００３０】
図１１において、除菌液タンク６１には注入口キャップ（エア吸込み可能）６２が付設され、タンク内残水量に合わせてエアを吸込み、噴霧中の負圧を防止するようになっている。除菌液タンク６１下部には電動式液送ポンプ１６が併設されていて、前述のように前記三方切換弁５２を介して噴霧ノズル１４側と、不燃物回収時の初期消火用ホース５１側に、適宜除菌液を給送することができるようにしてある。
なお、６３は、前述の図６に示した後部操作ボックス２４に搭載したポンプ制御スイッチ２５ａを操作して、任意の電気信号を前記電動式液送ポンプ１６に入力する概略回路図である。
【産業上の利用可能性】
【００３１】
本考案によれば、ゴミ回収車の雑菌や悪臭は、簡便な装置とダイオキシンを発生しない除菌剤により消臭され、悪臭が車外へ発散して回収作業者や周辺住民の健康を損なうことが低減される。
【符号の説明】
【００３２】
１  ゴミ回収車
２  車体枠
３  荷箱
４  ゴミ投入口
４ａ  底部
５  取付バー
１１  除菌液タンク
１２  液送ホース
１３  投入口上部パイプ
１４  噴霧ノズル
１５  タンクキャップ
１６  電動式液送ポンプ
１７  継手
２１  回転プレート
２２  プッシュプレート
２２ａ 回転軸
２３  プッシュプレート用油圧シリンダ
２４  後部操作ボックス
２５  プレート起動スイッチ
２５ａ  ポンプ制御スイッチ
２６  プレート停止スイッチ
３１  プレスプレート
３２  スライド体
５１  初期消火用ホース
５２  三方切換弁
６１  除菌液タンク
６２  注入口キャップ（エア吸込み可能）
６３  電気信号の概略回路図
【図１】
0003231350.tif 000003
【図２】
0003231350.tif 000004
【図３】
0003231350.tif 000005
【図４】
0003231350.tif 000006
【図５】
0003231350.tif 000007
【図６】
0003231350.tif 000008
【図７】
0003231350.tif 000009
【図８】
0003231350.tif 000010
【図９】
0003231350.tif 000011
【図１０】
0003231350.tif 000012
【図１１】
0003231350.tif 000013
【手続補正書】
【提出日】令和3年1月20日(2021.1.20)
【手続補正１】
【補正対象書類名】実用新案登録請求の範囲
【補正対象項目名】全文
【補正方法】変更
【補正の内容】
【実用新案登録請求の範囲】
【請求項１】
車体枠上に荷箱が搭載され、前記荷箱の後部にはゴミ投入口が形成され、前記ゴミ投入口内に、投入されたゴミの掻き込み装置または押し込み装置の少なくとも一方が設けられ、ゴミ投入口底部に汚水受け用のタンクが設けられているゴミ回収車内の上部に、除菌剤を前記ごみ投入口内の底部に向けて噴射する噴霧ノズルを備えた除菌剤噴射装置が設けられていることを特徴とするゴミ回収車の除菌剤噴射装置。
【請求項２】
前記除菌剤噴射装置は、除菌剤を除菌液タンクから電動式液送ポンプにより加圧され、液送ホースを介して前記ポンプと連通する噴射ノズルを有し、さらに前記除菌剤噴射装置は、押し込み装置の駆動に対応して除菌剤の噴射開始を連動させるようにしたことを特徴とする請求項１に記載のゴミ回収車の除菌剤噴射装置。